(57)【要約】【課題】本発明は、生理時の女性が気軽に風呂に入ることができ、また他の人と一緒に温泉等に入っても違和感を与えず、さらにズボンや水着等の下にも着用できる生理用パンツを提供する。【解決手段】本発明の生理用パンツは、弾性を有し防水性で厚さの薄い膜状の材料からなり、胴部及び両大腿部に相当する各個所の開口部を除いて水を通さないように閉塞されており、使用前は穿く人の体形より小さな形状をし、使用時に伸ばし広げながら穿くことにより内面全体が体に密着して外から水が中に入らないようになされている。【選択図】        図２
2005278848.tif 000002
【特許請求の範囲】
【請求項１】
弾性を有し防水性で厚さの薄い膜状の材料からなり、胴部及び両大腿部に相当する各個所の開口部を除いて水を通さないように閉塞されており、使用前は穿く人の体形より小さな形状をし、使用時に伸ばし広げながら穿くことにより内面全体が体に密着して外から水が中に入らないようになされている生理用パンツ。
【請求項２】
材料の厚さが０．０２ｍｍ〜１ｍｍである請求項１に記載の生理用パンツ。
【請求項３】
使用時に１．５倍〜１０倍に伸び広がる請求項１又は２に記載の生理用パンツ。
【請求項４】
材料が天然ゴムラテックス又はポリウレタン樹脂である請求項１〜３に記載の生理用パンツ。
【請求項５】
体の胴部及び（又は）両大腿部と接する生理用パンツの内面の個所に、吸収部材が配置されている請求項１〜４に記載の生理用パンツ。
【発明の詳細な説明】
【技術分野】
【０００１】
本発明は、生理用パンツ、ことに入浴が可能な生理用パンツに関する。
【背景技術】
【０００２】
生理のときにも気軽に風呂に入りたいというのは女性の長年の願望である。生理の時に使用する生理用パンツとしては、吸収部材と組み合わせた生理用パンツが広く知られており（例えば特開２００３−２３０５９５号公報）、また、包帯をしている人やおむつをしている人が、穿いてシャワーや入浴できる着用具も知られている（特開２００３−２７３１１号公報）。
【特許文献１】特開２００３−２３０５９５号公報
【特許文献２】特開２００３−２７３１１号公報
【発明の開示】
【発明が解決しようとする課題】
【０００３】
しかしながら、従来の生理用パンツは、生理流体物を生理用パンツの外に出さないように種々の工夫がなされているが、外から水が生理用パンツ内に入らないようにはなされておらず、生理時にそれを穿いても入浴することはできなかった。
【０００４】
一方、入浴時にも穿ける特許文献２のような防水着用具は、医療目的の用具でだぶだぶの短パン型をしており、この着用具は、防水性のある生地を基材とし、腹部と両大腿部（太もも部）にベルト状の着脱片を用いて締め付けることにより、外からの水の侵入を防ぐようにしている。
【０００５】
しかしながら健常者がこれを穿いて風呂に入るには大げさすぎ、また他の人と一緒に温泉等に入ったりするには目立ちすぎて違和感がある。また腹部と両大腿部にベルト状の着脱片を用いて締め付けるようになされているが、締め付けがゆるいと水が中に入り込む可能性がある。
【０００６】
本発明は、生理時の女性が気軽に風呂に入ることができ、また他の人と一緒に温泉等に入っても違和感を与えず、さらにズボンや水着等の下にも着用できる生理用パンツを提供することを目的としている。
【課題を解決するための手段】
【０００７】
本発明の生理用パンツは、弾性を有し防水性で厚さの薄い膜状の材料からなり、胴部及び両大腿部に相当する各個所の開口部を除いて水を通さないように閉塞されており、使用前は穿く人の体形より小さな形状をし、使用時に伸ばし広げながら穿くことにより内面全体が体に密着して外から水が中に入らないようになされている。
【０００８】
本発明の生理用パンツの材料としては、弾性を有し防水性で厚さが薄い膜状で且つ引張リ強度に優れたものが使用されるが、そのような材料としては例えば、天然ゴムや合成ゴムなどのゴム、天然ゴムラテックスや合成ラテックスなどのラテックス、ポリウレタン樹脂などの合成樹脂、その他の材料が使用できる。
【０００９】
材料の厚さは薄いほどよいが、材質によってはあまり薄いと引張り強度の点で問題があり、また厚さが厚すぎるとズボンや水着等の下に着用しづらかったり、コンパクトに折りたたむことができなくなるので、厚さは例えば０．０２ｍｍ〜１ｍｍぐらいであるのが好ましいが、必ずしもこの範囲に限定されるものではない。
【００１０】
生理用パンツは単一の材料であっても、部分的に別の材料からなるなど複数の材料からなっていてもよい。また生理用パンツは初めから立体的に成形されても、或いは展開したものを接着剤等を用いたりその他の方法により立体的に組み立てるなどしてもよい。
【００１１】
生理用パンツの大きさは、使用前は穿く人の体形より小さくなされており、穿く時に伸びて広がり大きくなる。どの程度大きくできるようにするかは、使用する材料の物性や、穿いたときの密着性や圧迫度等によって決められるが、例えば穿く時に１．５倍〜１０倍に伸び広がるようにすることができる。
【００１２】
使用時の生理用パンツの大きさは密着性を重視しすぎると体が圧迫されて長時間の装着に適さなくなる。従って、入浴など比較的短時間使用する場合には、多少圧迫度が強くても密着性を上げたほうがよいが、外出時に使用する場合等、長時間着用する場合にはあまり圧迫しない方が好ましい。
【００１３】
なお生理用パンツを長時間着用できるよう、生理時の女性が予め使用している生理用ナプキン等で生理流体物を吸収しきれない場合のために、胴部と両大腿部に相応する生理用パンツの内面の個所に、追加的な吸収部材が配置できるようにしてもよい。
【００１４】
生理用パンツの大きさは１種類だけでもよいが、穿く人の体形に合わせて例えばＳ、Ｍ、Ｌの３種類を用意したり、もっと種類を増やしてもよい。生理用パンツの形はショーツ型でもトランクス型でもよい。
【００１５】
生理用パンツの色は、温泉など他の人と一緒に入る際に使用する場合には、肌色など目立たない色にするのが好ましい。また外出時のズボン（殊に夏用の布地の薄いズボン）の色や、水着の下に穿く場合には水着の色に合わせて目立たないようにするなど、種々の色のものを準備してもよく、場合によっては模様を配してもよい。
【発明の効果】
【００１６】
本発明の生理用パンツは、胴部や両大腿部の各開口部の縁部だけでなく、生理用パンツの内面全体が体に密着し、生理時の女性が予め使用している生理用ナプキン等を固定し且つ生理流体物を生理用パンツの外に漏らすことがなく、また外から水が入ってこないので、本発明の生理用パンツを穿けば従来生理時に入ることができなかった風呂に気軽に入ることができる。
【００１７】
また本発明の生理用パンツは体に密着し薄いので目立たず、他の人と一緒に温泉等に入っても違和感を与えることがない。
【００１８】
さらに本発明の生理用パンツは体に密着し薄いので水着等の下に着用しても、着用していることが外見からは分からず、生理時でも水泳等を楽しむことができる。
【００１９】
また、本発明の生理用パンツは体に密着し生理流体物や生理時の臭いを生理用パンツの外に漏らさないので、安心して気兼ねなく外出時に使用でき、しかも、薄いのでその上にズボンを穿いていても生理用パンツの線が見えずファッション性もよい。
【００２０】
本発明の生理用パンツは、使い捨てにしてもよいが、防水性であるため水で洗った後、水分を拭きとればすぐに使用できるので、外出時や旅行時に使用していて汚れても容易に清潔な状態で再使用できる。また使用している材料が薄く、生理用パンツ自体も小型で小さく折り畳んだりすることができるので、ハンドバックなどの物入れに容易に入れることができ、外出時に不意に生理が始まったときなどにも対応できる。
【００２１】
本発明の生理用パンツは色を選択することにより、入浴時や、上にズボンや水着をつけても目立たないようにすることができる。
【００２２】
本発明の吸収部材を追加的に配置できる生理用パンツでは、生理流体物の漏れをさらに確実に防止できる。
【発明を実施するための最良の形態】
【００２３】
図１は、穿く前（使用前）の生理用パンツ１を示すもので、穿いた時の大きさに比べて小さい。生理用パンツ１は胴部と両大腿部の部分に相当する開口部２、３のみが開口しその他の部分は全く水を通さないように水密的に閉塞されている、生理用パンツは厚さ０．１ｍｍの天然ゴムラテックスからなり、トランクス型で色は肌色である。図１では生理用パンツは立体的に描かれているが、平らにして小さく折りたたむことができる。
【００２４】
図１の生理用パンツを伸ばし広げながら穿くことにより図２のように２倍に伸び、生理用パンツの内部全体が腰部や両大腿部に密着する。なお、生理用ナプキン（図示せず）等は予め体につけておく。
【００２５】
生理用パンツを穿いた図２の状態で、風呂や温泉に入ることができ、生理用パンツは薄く全体が体に密着し色も肌色をしているので目立たない。またズボンや水着の下に穿くことができる。
【００２６】
図３の生理用パンツ４は、材質、サイズ、型等は生理用パンツ１と同じであるが、生理用パンツ４にはその内側の、胴部及び両大腿部に接する個所にそれぞれ、予め使用している生理用ナプキン等（図示せず）で吸収しきれない生理流体物を吸収するための追加の吸収部材５、６が体に沿って環状に配置されている。追加の吸収部材５、６は綿やその他の吸収材料からなり、図４のように生理用パンツの内側に設けられた、係止部７、８に挟むことにより係止されている。
【００２７】
係止部７、８は生理用パンツの材料と同じ材料からなる互いに向き合う方向（係止部７では足の方向、係止部８では胴部の方向）に折り返された折り返し部からなる。なお係止部は生理用パンツの材料とは別の材料からなっていてもよい。
【００２８】
これらの追加の吸収部材５、６は、生理用パンツ４を穿いた後に、胴部及び両大腿部の開口部の縁部をそれぞれ外側に折り返して取付けることになる。なお、吸収部材５及び係止部７と、吸収部材６及び係止部８は、いずれか一方例えば吸収部材５及び係止部７を省略してもよい。
【図面の簡単な説明】
【００２９】
【図１】本発明の生理用パンツの使用前の状態を示す図。
【図２】生理用パンツを穿いた状態を示す図。
【図３】本発明の別の生理用パンツを示す図。
【図４】図２の生理用パンツの係止部付近を示す拡大断面図。
【符号の説明】
【００３０】
１  生理用パンツ
２  開口部
３  開口部
４  生理用パンツ
５  吸収部材
６  吸収部材
７  係止部
８  係止部
【図１】
2005278848.tif 000003
【図２】
2005278848.tif 000004
【図３】
2005278848.tif 000005
【図４】
2005278848.tif 000006